(57)【要約】    【課題】  消しゴムの断面形状が円形のものが主となっているが、近年においては、矩形のものも望まれるようになってきた。即ち、短辺部分で細かな部分を消去し、長辺部分で幅広く消去しようとするものである。しかしながら、円形のものを好む使用者も存在しているのが実情であり、メーカー側としては、２種の棒状体繰り出し装置を製造・販売しなければならなかった。    【構成】  外筒に棒状体を出没可能に配置した棒状体繰り出し装置であって、その棒状体を保持する棒状体受け部材に形状の異なる複数の受け部を形成した棒状体繰り出し装置。【選択図】        図１
2005067099.tif 000002
【特許請求の範囲】
【請求項１】
外筒に棒状体を出没可能に配置した棒状体繰り出し装置であって、その棒状体を保持する棒状体受け部材に形状の異なる複数の受け部を形成したことを特徴とする棒状体繰り出し装置。
【請求項２】
前記第複数の受け部に、大きさの異なる相似形の受け部を形成したことを特徴とする請求項１記載の棒状体繰り出し装置。
【請求項３】
前記受け部の側面にスリットを形成すると共に、そのスリットを拡開する突部を前記外筒の前方内面に形成したことを特徴とする請求項１記載、あるいは、請求項２に記載の棒状体繰り出し装置。
【発明の詳細な説明】
【技術分野】
【０００１】
本発明は、外筒に棒状体を出没可能に配置した棒状体繰り出し装置に関するものである。
【背景技術】
【０００２】
シャープペンシルの後方に長い消しゴムを出没可能に配置した筆記具が知られている。その１例を挙げ説明する。先方に筆記部を備えた先軸の後端には、繰り出し式の消しゴム装置が配置されている。その繰り出し式の消しゴム装置は、キャップの内孔に螺旋溝を備え、螺旋溝の後端に開口した消しゴム出没の孔が、螺旋溝の前端には段部とやや大径の内孔が形成されている。又、キャップの内孔には略後端まで開口したスリットが形成されており、前方には軸部を有した内筒が挿入されている。前記内筒は、キャップに対し回転のみ可能に挟着されるようストッパーブッシュが内筒に係止している。
更に、前記内筒の内孔部には、断面が円形の消しゴムを挟着する弾性部を有し、前方の筒部の側面に突起を有した消しゴムホルダーが前後動可能に配置されている。そして、前記突起はスリットを介して螺旋溝に螺合されている。
【０００３】
即ち、先軸に対しキャップを回転させると消しゴムホルダーが前後動して消しゴムがキャップの後端から出没するのである。
【特許文献１】実開平７−２８６８９号
【発明の開示】
【発明が解決しようとする課題】
【０００４】
前記のように、消しゴムの断面形状が円形のものが主となっているが、近年においては、矩形のものも望まれるようになってきた。即ち、短辺部分で細かな部分を消去し、長辺部分で幅広く消去しようとするものである。しかしながら、円形のものを好む使用者も存在しているのが実情であり、メーカー側としては、２種の棒状体繰り出し装置を製造・販売しなければならなかった。
【課題を解決するための手段】
【０００５】
本発明は、外筒に棒状体を出没可能に配置した棒状体繰り出し装置であって、その棒状体を保持する棒状体受け部材に形状の異なる複数の受け部を形成したことを要旨とする。
【発明の効果】
【０００６】
本発明は、外筒に棒状体を出没可能に配置した棒状体繰り出し装置であって、その棒状体を保持する棒状体受け部材に形状の異なる複数の受け部を形成したので、１種の棒状体繰り出し装置で種々の棒状体に適応させることができる。
【発明を実施するための最良の形態】
【０００７】
外筒１の後部内側には、その外筒１に対して回転可能な回転部材２が配置されているが、その回転部材２の後部は外筒１から突出しており鍔部３を形成している。その鍔部３の外周側面には指などでつまんだ場合における滑りを防止するローレット加工などが施されている。又、前記回転部材２の前方内面には、後述する螺旋軸５に螺合する内方突部４が対向する２箇所に形成されている。
次ぎに、その螺旋軸５について詳述する。中空状の螺旋軸５の外周側面部には、螺旋溝６が形成されており、その螺旋溝には前記回転部材２の内方突部４が螺合している。その螺旋軸５の前端には、棒状体７（本例では、固形修正具）を保持するほぼ矩形であって、且つ、筒状の受け部８が形成されているが、別部材で構成し各々を固定しても良い。その受け部８の対向する外側面には、前方に傾斜面９ａを有する板状突起９が形成されている。そして、その板状突起９は、前記外筒１の内面に形成されている案内溝１０に摺動可能に係合している。つまり、受け部材８（螺旋軸５）は、外軸に対して回転不能ではあるが、前後動は可能なものとなっている。
【０００８】
前記受け部８の内面前方には、断面が矩形状の棒状体７を保持する第１受け部１１が形成されているが、その第１受け部１１のほぼ中央部には、断面が円形の棒状体７を保持する第２受け部１２が形成されている。その第２受け部１２は、前記受け部８の外表面から膨出した状態で形成されている。又、それら第１受け部１１、並びに、第２受け部１２の後方には、即ち、筒状の受け部８の底部側には、前記矩形状の第１受け部１１よりも小さい矩形状である第３受け部１３が形成されている。そして、その第３受け部１３のほぼ中央部には、前記第２受け部よりも小さな円形である第４受け部１４が形成されている。つまり、第１受け部１１と第３受け部１３、並びに、第２受け部２と第４受け部１４は、相似形となっているのである。これによって、大きさの異なる２種類の矩形状の棒状体と、円形の棒状体、即ち、４種類の棒状体の保持が可能となっている。
【０００９】
尚、前記第１受け部１１〜第４受け部１４の内面には、長手方向に微小突起１５が形成されているが、保持する棒状体の挿着性と保持力を考慮してのことである。又、前記受け部８の対向する外側面には、スリット１６が形成されている。このスリット１６によって、棒状体７を受け部８に挿着する際、多少拡開する為、その挿着動作が容易なものとなる。更に挿着の容易性を図って、各々の受け部の開口部には、傾斜面１１ａ、１２ａ、１３ａ、１４ａが形成されている。
又、受け部８が最前進位置に達した際には、前記スリット１６が前記外筒１の前方内面に形成されている内方突起１７が嵌り込み、これによって受け部８が拡開され、棒状体７がその受け部８から脱落する。つまり、棒状体７を使い切ってしまった場合には、受け部８を最前進位置に位置させることによって、容易に受け部８内の棒状体７を抜き取ることができるのである。
【００１０】
次ぎに、使用例について説明する。外筒１並びに、鍔部３を指などでつまみ、各々を相対的に回転させると螺旋軸５と内方突起４の螺合によって、又、螺旋軸５は外筒１に対して回転不能に配置されている為、前記螺旋軸５、即ち、棒状体７を保持した受け部８が前進する。この棒状体７の前進によって外筒１の先端開口部から突出する。棒状体の使用・消耗に連れ、徐々に受け部材８を前進させるが、最前進位置に達すると、受け部材８のスリット１６が内方突起１７によって拡開され、これによって消耗した棒状体７が排出される。この時、棒状体７は、自重によって受け部材８から脱落することもあるが、指などでつまんでも容易に抜き取ることもできる。
【実施例１】
【００１１】
図１、並びに、図６に示す例は、比較的大きな矩形状の固形修正具７を受け部８の前方に形成した第１受け部１１に保持させた例である。矩形状の固形修正具７を保持させることによって、その短辺で細かな部分を、長辺で広大な部分を一気に消去することができる。
【実施例２】
【００１２】
図７に示す例は、比較的小さな矩形状の固形修正具７を受け部８の底部側に形成した第３受け部１３に保持させた例である。前期実施例１よりも小さな矩形状の固形修正具７を保持させることによって、その短辺で更に細かな部分を、長辺で若干広めな部分を消去することができる。
【実施例３】
【００１３】
図８、並びに、図９に示す例は、比較的大きな円形の固形修正具７を受け部８の前方に形成した第２受け部１２に保持させた例である。円形の固形修正具７を保持させることによって方向性を考慮することなく消去することができる。
【実施例４】
【００１４】
図１０に示す例は、比較的小さな円形の固形修正具７を受け部８の底部側に形成した第４受け部１４に保持させた例である。小さな円形の固形修正具７を保持させることによって方向性を考慮することなく細かな部分を消去することができる。
【産業上の利用可能性】
【００１５】
以上の例においては、固形修正具を出没可能に配置した棒状体繰り出し装置を例示したが、棒状体としては、クレヨン、パスなどの筆記具であっても良く、又、マスカラやアイライナー、口紅などの化粧具などであっても良い。
又、外筒１と回転部材２を相対的に回転させることによって、棒状体を出没させているが、受け部材を外軸の長手方向に対して直線的にスライドさせることによって出没させるような機構としても良い。
【図面の簡単な説明】
【００１６】
【図１】本発明の最良の形態を示す縦断面図。
【図２】螺旋軸を示す外観斜視図。
【図３】図２の縦断面図。
【図４】図２の正面図。
【図５】受け部材の拡開状態を示す外観斜視図。
【図６】実施例１を示す正面図。
【図７】実施例２を示す正面図。
【図８】実施例３を示す縦断面図。
【図９】実施例３を示す正面図。
【図１０】実施例４を示す正面図。
【符号の説明】
【００１７】
１    外筒
２    回転部材
３    鍔部
４    内方突部
５    螺旋軸
６    螺旋溝
７    棒状体
８    受け部
９    板状突起
１０    案内溝
１１    第１受け部
１２    第２受け部
１３    第３受け部
１４    第４受け部
１５    微小突起
１６    スリット
１７    内方突起
【図１】
2005067099.tif 000003
【図２】
2005067099.tif 000004
【図３】
2005067099.tif 000005
【図４】
2005067099.tif 000006
【図５】
2005067099.tif 000007
【図６】
2005067099.tif 000008
【図７】
2005067099.tif 000009
【図８】
2005067099.tif 000010
【図９】
2005067099.tif 000011
【図１０】
2005067099.tif 000012